(57)【要約】【課題】ノズルから液滴を吐出する吐出ヘッドを備えた画像形成装置において、廃液性を向上させるとともに、記録媒体の裏面汚れを防止する。【解決手段】印字ヘッド１２のノズル面に対向配置されるプラテン３６は撥液性を有し、該プラテン３６全面に複数のインク捕集孔６０が設けられる。インク捕集孔６０は、インク滴が滑落する傾斜面６３とプラテン３６の裏面に連通する開口６２を有して構成され、記録紙１６をプラテン３６上に吸着させる吸引孔として兼用される。記録紙１６はインク捕集孔６０の周囲の稜６４で接触支持される。プラテン３６の裏面側には吸引ポンプ３９と連通する液受け容器３８が配置され、画像記録に使用されないインクはプラテン３６のインク捕集孔６０を介して回収される。また、ノズル面とプラテン面３７を同時に清掃するブレード７０を移動させながら、ノズルの予備吐出も行う。【選択図】  図６
2006175882.tif 000002
【特許請求の範囲】
【請求項１】
液滴を吐出させるノズルが形成された吐出ヘッドと、
前記吐出ヘッドのノズル面と対向する位置に配設され、記録媒体を支持する媒体支持手段と、
前記媒体支持手段の全面に多数設けられた液捕集手段であって、前記吐出ヘッド側から進入した液を滑落させる傾斜面と、前記傾斜面の底部に形成され当該媒体支持手段の裏面と連通する開口とを有する液捕集手段と、
前記液捕集手段の開口を介して液を吸引する吸引手段と、を備え、
前記液捕集手段は、前記吐出ヘッド側の開口が相対的に広く、前記吸引手段側の開口が相対的に狭い孔形状の貫通孔であり、
前記液捕集手段の前記吐出ヘッド側の貫通孔周囲は、前記記録媒体を線接触によって支持する稜形状を有し、
前記液捕集手段は、前記記録媒体を前記記録媒体支持手段に吸着させる吸引孔として兼用されることを特徴とする画像形成装置。
【請求項２】
前記液捕集手段は、前記記録媒体の搬送方向に直交しない稜形状を有していることを特徴とする請求項１記載の画像形成装置。
【請求項３】
液滴を吐出させるノズルが形成された吐出ヘッドと、
前記吐出ヘッドのノズル面と対向する位置に配設され、記録媒体を支持する媒体支持手段と、
前記媒体支持手段の全面に多数設けられた液捕集手段であって、前記吐出ヘッド側から進入した液を滑落させる傾斜面と、前記傾斜面の底部に形成され当該媒体支持手段の裏面と連通する開口とを有する液捕集手段と、
前記液捕集手段の開口を介して液を吸引する吸引手段と、を備え、
前記液捕集手段は、前記記録媒体を前記記録媒体支持手段に吸着させる吸引孔として兼用されるとともに、
前記液捕集手段は、前記記録媒体を点接触によって支持する突起を有し、該突起の側面が前記傾斜面を構成していることを特徴とする画像形成装置。
【請求項４】
前記液捕集手段は、撥液性を有していることを特徴とする請求項１乃至３の何れか１項記載の画像形成装置。
【請求項５】
前記媒体支持手段及び前記吐出ヘッドのうち少なくとも一方を前記吐出ヘッドの液滴吐出方向に移動させる相対移動手段と、
前記吐出ヘッドのノズル面の周囲を覆い前記媒体支持手段と接触することにより前記ノズル面を密閉する弾性部材を含む密閉手段と、
を備えたことを特徴とする請求項１乃至４の何れか１項記載の画像形成装置。
【請求項６】
前記媒体支持手段は、非吐出時に前記吐出ヘッドのノズル面を封止するキャッピング手段として機能するとともに、前記吐出ヘッドのノズルから液吸引を行うヘッド液吸引手段として機能することを特徴とする請求項５記載の画像形成装置。
【請求項７】
前記吐出ヘッドのノズル面に接触する第１の清掃手段と、
前記媒体支持手段の媒体支持面に接触する第２の清掃手段と、
前記第１の清掃手段を前記ノズル面に接触させるとともに前記第２の清掃手段を前記媒体支持面に接触させた状態で前記第１の清掃手段及び前記第２の清掃手段を同時に前記ノズル面及び前記媒体支持面に対して移動させる清掃駆動手段と、
を備えたことを特徴とする請求項１乃至６の何れか１項記載の画像形成装置。
【請求項８】
前記第１の清掃手段は前記ノズル面を払拭する第１のブレードを備える一方、前記第２の清掃手段は前記媒体支持面を払拭する第２のブレードを備え、前記第１のブレードと前記第２のブレードとが前記清掃駆動手段による清掃時の移動方向に沿って所定の間隔を有して配置され、前記清掃時に前記移動方向に先行する前記第１のブレードによって前記ノズル面を払拭し、当該第１のブレードが払拭通過したノズル領域のノズルから液滴を吐出させ、該吐出液滴が付着した前記媒体支持面の領域を後続の前記第２のブレードによって払拭することを特徴とする請求項７記載の画像形成装置。
【発明の詳細な説明】
【技術分野】
【０００１】
本発明は画像形成装置に係り、特に記録媒体に向けてノズルから液滴を吐出する吐出ヘッドを備えたインクジェット記録装置その他の画像形成装置に好適な液の回収システムに関する。
【背景技術】
【０００２】
特許文献１には、用紙の搬送方向と直交する方向に複数のノズルが配列されたラインヘッドを有するインクジェットプリンタにおいて、プラテン部材を内包した無端ベルトに用紙搬送領域とメンテナンス領域とを設け、メンテナンス動作時に無端ベルトのメンテナンス領域をラインヘッドのノズル面に対向させ、該ベルト上のメンテナンス領域に予備吐出（ノズル詰まりを防止するためにインクを強制的に吐出させる動作）を行う構成が開示されている。同文献の無端ベルトはメンテナンス領域に吐出されたインクを一時的に保持することができ、予備吐出後、無端ベルトを走行させてメンテナンス領域をメンテナンスユニットの対向位置に移動させ、該メンテナンス領域に付着したインクを吸引ポンプによって吸引して廃棄するようになっている。
【０００３】
また、特許文献２においては、印刷過程中に記録用のシートを支持する支持体が多孔性材料（多孔フイルム、多孔板、又は多孔バンド）で構成されているインクジェット印刷装置が開示されている。この装置によれば、支持体は真空源に接続されており、支持体上に堆積された過剰なインクは多孔性材料で吸収され、該支持体を介して吸引除去される。
【特許文献１】特開２００２−３５６０２６号公報
【特許文献２】特開２０００−１６８１０８号公報
【発明の開示】
【発明が解決しようとする課題】
【０００４】
しかしながら、特許文献１及び特許文献２に開示された構造は、何れも記録媒体を直接支持する支持部材にインクが吸収保持されるので、支持部材中でインクが乾燥し、目詰まりを生じて吸収性能が悪化するとともに、記録媒体の裏面汚れが発生する。また、上記従来の構造では、インクを保持した支持部材からインクを吸引排気するために大型の吸引手段が必要となる。
【０００５】
本発明はこのような事情に鑑みてなされたもので、廃液性を向上させるとともに、記録媒体の裏面汚れを防止することができる画像形成装置を提供することを目的とする。
【課題を解決するための手段】
【０００６】
前記目的を達成するために請求項１記載の発明に係る画像形成装置は、液滴を吐出させるノズルが形成された吐出ヘッドと、前記吐出ヘッドのノズル面と対向する位置に配設され、記録媒体を支持する媒体支持手段と、前記媒体支持手段の全面に多数設けられた液捕集手段であって、前記吐出ヘッド側から進入した液を滑落させる傾斜面と、前記傾斜面の底部に形成され当該媒体支持手段の裏面と連通する開口とを有する液捕集手段と、前記液捕集手段の開口を介して液を吸引する吸引手段と、を備え、前記液捕集手段は、前記吐出ヘッド側の開口が相対的に広く、前記吸引手段側の開口が相対的に狭い孔形状の貫通孔であり、前記液捕集手段の前記吐出ヘッド側の貫通孔周囲は、前記記録媒体を線接触によって支持する稜形状を有し、前記液捕集手段は、前記記録媒体を前記記録媒体支持手段に吸着させる吸引孔として兼用されることを特徴とする。
【０００７】
請求項２記載の発明は、請求項１記載の画像形成装置の一態様に係り、前記液捕集手段は、前記記録媒体の搬送方向に直交しない稜形状を有していることを特徴とする。
【０００８】
また、請求項３に記載の発明に係る画像形成装置は、液滴を吐出させるノズルが形成された吐出ヘッドと、前記吐出ヘッドのノズル面と対向する位置に配設され、記録媒体を支持する媒体支持手段と、前記媒体支持手段の全面に多数設けられた液捕集手段であって、前記吐出ヘッド側から進入した液を滑落させる傾斜面と、前記傾斜面の底部に形成され当該媒体支持手段の裏面と連通する開口とを有する液捕集手段と、前記液捕集手段の開口を介して液を吸引する吸引手段と、を備え、前記液捕集手段は、前記記録媒体を前記記録媒体支持手段に吸着させる吸引孔として兼用されるとともに、前記液捕集手段は、前記記録媒体を点接触によって支持する突起を有し、該突起の側面が前記傾斜面を構成していることを特徴とする。
【０００９】
請求項４記載の発明は、請求項１乃至３の何れか１項記載の画像形成装置の一態様に係り、前記液捕集手段は、撥液性を有していることを特徴とする。
【００１０】
請求項５記載の発明は、請求項１乃至４の何れか１項記載の画像形成装置の一態様に係り、前記媒体支持手段及び前記吐出ヘッドのうち少なくとも一方を前記吐出ヘッドの液滴吐出方向に移動させる相対移動手段と、前記吐出ヘッドのノズル面の周囲を覆い前記媒体支持手段と接触することにより前記ノズル面を密閉する弾性部材を含む密閉手段と、を備えたことを特徴とする。
【００１１】
請求項６記載の発明は、請求項５記載の画像形成装置の一態様に係り、前記媒体支持手段は、非吐出時に前記吐出ヘッドのノズル面を封止するキャッピング手段として機能するとともに、前記吐出ヘッドのノズルから液吸引を行うヘッド液吸引手段として機能することを特徴とする。
【００１２】
請求項７記載の発明は、請求項１乃至６の何れか１項記載の画像形成装置の一態様に係り、前記吐出ヘッドのノズル面に接触する第１の清掃手段と、前記媒体支持手段の媒体支持面に接触する第２の清掃手段と、前記第１の清掃手段を前記ノズル面に接触させるとともに前記第２の清掃手段を前記媒体支持面に接触させた状態で前記第１の清掃手段及び前記第２の清掃手段を同時に前記ノズル面及び前記媒体支持面に対して移動させる清掃駆動手段と、を備えたことを特徴とする。
【００１３】
請求項８記載の発明は、請求項７記載の画像形成装置の一態様に係り、前記第１の清掃手段は前記ノズル面を払拭する第１のブレードを備える一方、前記第２の清掃手段は前記媒体支持面を払拭する第２のブレードを備え、前記第１のブレードと前記第２のブレードとが前記清掃駆動手段による清掃時の移動方向に沿って所定の間隔を有して配置され、前記清掃時に前記移動方向に先行する前記第１のブレードによって前記ノズル面を払拭し、当該第１のブレードが払拭通過したノズル領域のノズルから液滴を吐出させ、該吐出液滴が付着した前記媒体支持面の領域を後続の前記第２のブレードによって払拭することを特徴とする。
【００１４】
また、前記目的を達成するために、本明細書は以下の発明（１）〜（１０）を開示する。
【００１５】
発明（１）は、液滴を吐出させるノズルが形成された吐出ヘッドと、前記吐出ヘッドのノズル面と対向する位置に配設され、記録媒体を支持する媒体支持手段と、前記媒体支持手段に設けられた液捕集手段であって、前記吐出ヘッド側から進入した液を滑落させる傾斜面と、前記傾斜面の底部に形成され当該媒体支持手段の裏面と連通する開口とを有する液捕集手段と、前記液捕集手段の開口を介して液を吸引する吸引手段と、を備えたことを特徴とする画像形成装置を提供する。
【００１６】
発明（１）によれば、吐出ヘッドのノズル面（液滴吐出面）に対向配置される媒体支持手段に、液滑落用の傾斜面と、該傾斜面で捕集された液を媒体支持手段の裏面（媒体支持面と反対側の面）へと通過させる開口とを有して構成される液捕集手段を設け、媒体支持面上に落ちた液を液捕集手段の開口を介して吸引する構成にしたので、媒体支持手段上から容易に液滴を回収することができ、廃液性を向上させることができる。
【００１７】
発明（２）は、発明（１）記載の画像形成装置に係り、前記液捕集手段は、前記吐出ヘッド側の開口が相対的に広く、前記吸引手段側の開口が相対的に狭い孔形状の貫通孔であることを特徴とする。
【００１８】
かかる態様において、吐出ヘッド側の開口から吸引手段側（裏面側）の開口に至る貫通穴の壁面に傾斜面を形成することにより、該傾斜面上を液滴が容易に滑落し、吐出ヘッド側の開口内に入った液滴を効率よく回収することができる。
【００１９】
発明（３）は、発明（２）記載の画像形成装置に係り、前記液捕集手段の前記吐出ヘッド側の貫通孔周囲は、前記記録媒体を線接触によって支持する稜形状を有していることを特徴とする。
【００２０】
発明（３）によれば、記録媒体の裏面に液が付着せず、裏面汚れを防止できる。
【００２１】
発明（４）は、発明（３）記載の画像形成装置に係り、前記液捕集手段は、前記記録媒体の搬送方向に直交しない稜形状を有していることを特徴とする。
【００２２】
記録媒体の搬送方向と直交しない稜線によって記録媒体を支持することにより、記録媒体を安定的に保持することが可能であり、記録媒体が稜線に引っかかる等の不具合がなく搬送性を向上させることができる。
【００２３】
発明（５）は、発明（１）記載の画像形成装置に係り、前記液捕集手段は、前記記録媒体を点接触によって支持する突起を有し、該突起の側面が前記傾斜面を構成していることを特徴とする。
【００２４】
記録媒体を点支持する先端形状を有する突起を媒体支持手段の媒体支持面に複数配列させる態様により、記録媒体を安定して保持可能であるとともに、記録媒体の裏面汚れを防止しつつ、突起側面の傾斜面で液を集め、傾斜面の底部に形成された開口から液を回収することができる。
【００２５】
発明（６）は、発明（１）乃至（５）の何れか１項記載の画像形成装置に係り、前記液捕集手段は、撥液性を有していることを特徴とする。
【００２６】
かかる態様によれば、液が接触する液捕集手段の表面に撥液性を持たせることにより、液滴状での液回収が可能となる。
【００２７】
発明（７）は、発明（１）乃至（６）の何れか１項記載の画像形成装置に係り、前記媒体支持手段及び前記吐出ヘッドのうち少なくとも一方を前記吐出ヘッドの液滴吐出方向に移動させる相対移動手段と、前記吐出ヘッドのノズル面の周囲を覆い前記媒体支持手段と接触することにより前記ノズル面を密閉する弾性部材を含む密閉手段と、を備えたことを特徴とする。
【００２８】
必要に応じて媒体支持手段を吐出ヘッドに近づけ、媒体支持手段の媒体支持面と密閉手段の弾性部材とによって吐出ヘッドのノズル面を密閉することにより、非吐出時における乾燥防止等のためのキャッピング手段として活用できる。また、かかる構成の媒体支持手段は、ノズルから液を強制的に吸引除去するヘッド液吸引手段として活用できる。
【００２９】
発明（８）は、発明（７）記載の画像形成装置に係り、前記媒体支持手段は、非吐出時に前記吐出ヘッドのノズル面を封止するキャッピング手段として機能するとともに
、前記吐出ヘッドのノズルから液吸引を行うヘッド液吸引手段として機能することを特徴とする。
【００３０】
かかる態様により、ヘッド回復の処理に必要な機構の簡略化を実現することができ、小型化、低コスト化を達成できる。
【００３１】
発明（９）は、発明（１）乃至（８）の何れか１項記載の画像形成装置に係り、前記吐出ヘッドのノズル面に接触する第１の清掃手段と、前記媒体支持手段の媒体支持面に接触する第２の清掃手段と、前記第１の清掃手段を前記ノズル面に接触させるとともに前記第２の清掃手段を前記媒体支持面に接触させた状態で前記第１の清掃手段及び前記第２の清掃手段を同時に前記ノズル面及び前記媒体支持面に対して移動させる清掃駆動手段と、を備えたことを特徴とする。
【００３２】
ノズル面と媒体支持面を同時に清掃するクリーニング手段を具備する態様により、清掃処理時間を短縮することができる。
【００３３】
発明（１０）は、発明（９）記載の画像形成装置に係り、前記第１の清掃手段は前記ノズル面を払拭する第１のブレードを備える一方、前記第２の清掃手段は前記媒体支持面を払拭する第２のブレードを備え、前記第１のブレードと前記第２のブレードとが前記清掃駆動手段による清掃時の移動方向に沿って所定の間隔を有して配置され、前記清掃時に前記移動方向に先行する前記第１のブレードによって前記ノズル面を払拭し、当該第１のブレードが払拭通過したノズル領域のノズルから液滴を吐出させ、該吐出液滴が付着した前記媒体支持面の領域を後続の前記第２のブレードによって払拭することを特徴とする。
【００３４】
第１のブレードでノズル面を払拭した後に、ノズルから液滴吐出を実施することにより、ノズルへの不純物流入を回避でき、吐出の安定化を実現できる。
【００３５】
また、第２のブレードで媒体支持面に付着した液滴と第１ブレード後に吐出された液を回収しやすくする。
【００３６】
なお、本発明の一態様として、記録媒体の全幅に対応する長さにわたって複数のノズルが配列されたフルライン型の記録ヘッドと、前記記録ヘッド及び前記記録媒体のうち少なくとも一方を前記記録媒体の幅方向と略直交する方向に搬送して前記記録ヘッドと前記記録媒体を相対移動させる搬送手段と、を備えたインクジェット記録装置に適用する態様がある。
【００３７】
「フルライン型の記録ヘッド（吐出ヘッド）」は、通常、記録媒体の相対的な送り方向（相対移動方向）と直交する方向に沿って配置されるが、相対移動方向と直交する方向に対して、ある所定の角度を持たせた斜め方向に沿って記録ヘッドを配置する態様もあり得る。また、記録ヘッドにおけるノズル（画像記録素子）の配列形態は、１列のライン状配列に限定されず、複数列からなるマトリックス配列でもよい。更には、記録媒体の全幅に対応する長さに満たないノズル列を有する短尺記録ヘッドユニットを複数個組み合わせることによって、これらユニット全体として記録媒体の全幅に対応するノズル列を構成する形態もあり得る。
【００３８】
「記録媒体」は、記録ヘッドの作用によって画像の記録を受ける媒体（印字媒体、被画像形成媒体、被記録媒体、受像媒体など呼ばれ得るもの）であり、連続用紙、カット紙、シール用紙、ＯＨＰシート等の樹脂シート、フイルム、布、インクジェット記録装置によって配線パターン等が印刷形成されるプリント基板、その他材質や形状を問わず、様々な媒体を含む。なお、本明細書において「印字」という用語は、文字を含む広い意味での画像を形成する概念を表すものとする。
【００３９】
記録媒体と記録ヘッドを相対的に移動させる移動手段（搬送手段）は、停止した（固定された）記録ヘッドに対して記録媒体を搬送する態様、停止した記録媒体に対して記録ヘッドを移動させる態様、或いは、記録ヘッドと記録媒体の両方を移動させる態様の何れをも含む。
【発明の効果】
【００４０】
本発明によれば、記録媒体を支持する媒体支持手段に液滑落用の傾斜面と液通過用の開口とを有する液捕集手段を設け、液捕集手段で捕集した液を媒体支持手段の裏面側から液捕集手段の開口を介して吸引する構成にしたので、予備吐出によるインク及び縁無し画像を印字する時の余剰インク等を媒体支持手段の媒体支持面から容易に集めることができ、廃液性を向上させることができる。
【発明を実施するための最良の形態】
【００４１】
以下添付図面に従って本発明の好ましい実施の形態について詳説する。
【００４２】
〔インクジェット記録装置の全体構成〕
図１は本発明の実施形態に係るインクジェット記録装置の全体構成図である。同図に示したように、このインクジェット記録装置１０は、印字ヘッド１２と、インク貯蔵／装填部１４と、記録媒体としての記録紙１６を供給する給紙部１８と、記録紙１６のカールを除去するデカール処理部２０と、前記印字ヘッド１２のノズル面（インク吐出面）１３に対向して配置され、記録紙１６の平面性を保持しながら記録紙１６を支持する支持部２２と、記録紙１６を搬送する搬送部２３、２４と、記録済みの記録紙（プリント物）を外部に排出する排紙部２６と、を備えている。なお、説明の便宜上、一つの（一色の）印字ヘッド１２のみを示すが、カラー画像を形成する場合には、複数色（例えば、シアン、マゼンタ、イエロー、ブラックの４色、或いは、更に、ライトシアン、ライトマゼンタなどのライト系インクが付加された多数色）の各色に対応する複数の印字ヘッドが設置される。
【００４３】
また、各色の吐出口を有する一つの印字ヘッドでも良い。支持部２２は各色ごとに設けられていることが好ましい。かかる形態により、後述するインク捕集孔（図１中不図示、図６中符号６０として記載）を介してインクが色別の回収タンク４０に送られ、各色ごとに分けられたインクを再利用することが可能となる。
【００４４】
インク貯蔵／装填部１４は、印字ヘッド１２に供給するインクを貯蔵するインクタンクを含み、該インクタンクは管路２７を介して印字ヘッド１２と連通されている。また、インク貯蔵／装填部１４は、インク残量が少なくなるとその旨を報知する報知手段（表示手段、警告音発生手段）を備えるとともに、色間の誤装填を防止するための機構を有している。
【００４５】
図１では、給紙部１８の一例としてロール紙（連続用紙）のマガジンが示されているが、紙幅や紙質等が異なる複数のマガジンを併設してもよい。また、ロール紙のマガジンに代えて、又はこれと併用して、カット紙が積層装填されたカセットによって用紙を供給してもよい。
【００４６】
複数種類の記録紙を利用可能な構成にした場合、紙の種類情報を記録したバーコード或いは無線タグなどの情報記録体をマガジンに取り付け、その情報記録体の情報を所定の読取装置によって読み取ることで、使用される用紙の種類を自動的に判別し、用紙の種類に応じて適切なインク吐出を実現するようにインク吐出制御を行うことが好ましい。
【００４７】
給紙部１８から送り出される記録紙１６はマガジンに装填されていたことによる巻きクセが残り、カールする。このカールを除去するために、デカール処理部２０においてマガジンの巻きクセ方向と逆方向に加熱ドラム３０で記録紙１６に熱を与える。このとき、多少印字面が外側に弱いカールとなるように加熱温度を制御するとより好ましい。
【００４８】
ロール紙を使用する装置構成の場合、図１のように、裁断用のカッター（第１のカッター）２８が設けられており、該カッター２８によってロール紙は所望のサイズにカットされる。カッター２８は、記録紙１６の搬送路幅以上の長さを有する固定刃２８Ａと、該固定刃２８Ａに沿って移動する丸刃２８Ｂとから構成されており、印字裏面側に固定刃２８Ａが設けられ、搬送路を挟んで印字面側に丸刃２８Ｂが配置される。なお、カット紙を使用する場合には、カッター２８は不要である。
【００４９】
デカール処理後、カットされた記録紙１６は、搬送部２３へと送られる。搬送部２３は、ローラ３１、３２間に無端状のベルト３３が巻き掛けられた構造を有している。ベルト３３が巻かれているローラ３１、３２の少なくとも一方にモータ（不図示）の動力が伝達されることにより、ベルト３３は図１上の時計回り方向に駆動され、ベルト３３上に載せられた記録紙１６は図１の左から右へと搬送される。なお、支持部２２の下流側に設置された搬送部２４も搬送部２３と同様の構成である。
【００５０】
支持部２２はプラテン３６と液受け部３８から構成される。すなわち、支持部２２の上面（記録紙１６を支持する支持面）には吸引孔を兼ねる多数のインク捕集孔（図１中不図示、図６中符号６０として記載）を有するプラテン３６が配置され、該プラテン３６の裏面側に液受け部３８が連結されている。
【００５１】
また、液受け部３８には吸引力を発生させる手段としての吸引ポンプ（負圧発生手段）３９が連通されており、当該支持部２２を吸引ポンプ３９で吸引して負圧にすることにより、記録紙１６の吸着及び印字ヘッド１２のノズル吸引等を行うことができる。液受け部３８に回収されたインクは吸引ポンプ３９を介して回収タンク４０に送られる。各色を全て同一の回収タンク４０でも良いが、望ましくは色ごとに別の回収タンクを持つ。その様な形態とすることで、回収インクの再利用を可能とする。なお、支持部２２の詳細については更に後述する。
【００５２】
用紙搬送路上において印字ヘッド１２の上流には、加熱ファン４１が設けられている。加熱ファン４１は、印字前の記録紙１６に加熱空気を吹き付け、記録紙１６を加熱する。印字直前に記録紙１６を加熱しておくことにより、インクが着弾後乾き易くなる。
【００５３】
また、印字ヘッド１２の下流には後乾燥部４２が設けられている。後乾燥部４２は、印字された画像面を乾燥させる手段であり、例えば、加熱ファンが用いられる。印字後のインクが乾燥するまでは印字面との接触を避けたほうが好ましいので、熱風を吹き付ける方式が好ましい。
【００５４】
多孔質のペーパに染料系インクで印字した場合などでは、加圧によりペーパの孔を塞ぐことでオゾンなど、染料分子を壊す原因となるものと接触することを防ぐことで画像の耐候性がアップする効果がある。
【００５５】
後乾燥部４２の後段には、加熱・加圧部４４が設けられている。加熱・加圧部４４は、画像表面の光沢度を制御するための手段であり、画像面を加熱しながら所定の表面凹凸形状を有する加圧ローラ４５で加圧し、画像面に凹凸形状を転写する。
【００５６】
こうして生成されたプリント物は、排紙部２６から排出される。本来プリントすべき本画像（目的の画像を印刷したもの）とテスト印字とは分けて排出することが好ましい。このインクジェット記録装置１０では、本画像のプリント物と、テスト印字のプリント物とを選別してそれぞれの排出部２６Ａ、２６Ｂへと送るために排紙経路を切り替える不図示の選別手段が設けられている。
【００５７】
なお、大きめの用紙に本画像とテスト印字とを同時に並列に形成する場合は、カッター（第２のカッター）４８によってテスト印字の部分を切り離す。カッター４８は、排紙部２６の直前に設けられており、画像余白部にテスト印字を行った場合に本画像とテスト印字部を切断するためのものである。カッター４８の構造は前述した第１のカッター２８と同様であり、固定刃４８Ａと丸刃４８Ｂとから構成される。
【００５８】
また、図１には示さないが、本画像の排出部２６Ａには、オーダー別に画像を集積するソーターが設けられる。
【００５９】
〔印字ヘッドの構造〕
図２(a) は印字ヘッド１２の構造例を示す平面透視図であり、図２(b) はその一部の拡大図である。また、図３は印字ヘッド１２の他の構造例を示す平面透視図、図４はインク室ユニットの立体的構成を示す断面図（図２中の４−４線に沿う断面図）である。記録紙面上に印字されるドットピッチを高密度化するためには、印字ヘッド１２におけるノズルピッチを高密度化する必要がある。本例の印字ヘッド１２は、図２乃至図４に示したように、インク滴が吐出するノズル５１と、各ノズル５１に対応する圧力室５２等からなる複数のインク室ユニット（液滴吐出素子）５３を千鳥でマトリックス状に配置させた構造を有し、これにより見かけ上のノズルピッチの高密度化を達成している。
【００６０】
すなわち、本実施形態における印字ヘッド１２は、図２に示すように、インクを吐出する複数のノズル５１が記録媒体（記録紙１６）の送り方向と略直交する方向に記録紙１６の全幅に対応する長さにわたって配列された１列以上のノズル列を有するフルラインヘッドである。
【００６１】
また、図２の構成に代えて、図３に示すように、複数のノズル５１が２次元に配列された短尺のヘッドユニット１２’を千鳥状に配列して繋ぎ合わせることで記録紙１６の全幅に対応する長さのノズル列を有するフルラインヘッドを構成してもよい。
【００６２】
各ノズル５１に対応して設けられている圧力室５２は、その平面形状が概略正方形となっており、対角線上の両隅部にノズル５１への流出口と供給インクの流入口（供給口）５４が設けられている。図４に示したように、各圧力室５２は供給口５４を介して共通流路５５と連通されている。共通流路５５はインク供給源たるインクタンクと連通しており、インクタンクから供給されるインクは共通流路５５を介して各圧力室５２に分配供給される。なお、インクタンクと共通流路５５の間において印字ヘッド１２の近傍又は印字ヘッド１２と一体にサブタンク（不図示）を設ける構成も好ましい。サブタンクは、ヘッドの内圧変動を防止するダンパー効果及びリフィルを改善する機能を有する。
【００６３】
圧力室５２の天面を構成している加圧板５６には個別電極５７を備えたアクチュエータ５８が接合されており、個別電極５７に駆動電圧を印加することによってアクチュエータ５８が変形してノズル５１からインクが吐出される。インクが吐出されると、共通流路５５から供給口５４を通って新しいインクが圧力室５２に供給される。
【００６４】
かかる構造を有する多数のインク室ユニット５３を図５に示す如く、主走査方向に沿う行方向及び主走査方向に対して直交しない一定の角度θを有する斜めの列方向とに沿って
一定の配列パターンで格子状に配列させた構造になっている。主走査方向に対してある角度θの方向に沿ってインク室ユニット５３を一定のピッチｄで複数配列する構造により、主走査方向に並ぶように投影されたノズルのピッチＰはｄ× cosθとなる。
【００６５】
すなわち、主走査方向については、各ノズル５１が一定のピッチＰで直線状に配列されたものと等価的に取り扱うことができる。このような構成により、主走査方向に並ぶように投影されるノズル列が１インチ当たり2400個（2400ノズル／インチ）におよぶ高密度のノズル構成を実現することが可能になる。
【００６６】
なお、用紙（記録紙１６）の全幅に対応したノズル列を有するフルラインヘッドで、ノズルを駆動する時には、（１）全ノズルを同時に駆動する、（２）ノズルを片方から他方に向かって順次駆動する、（３）ノズルをブロックに分割して、ブロックごとに片方から他方に向かって順次駆動する等が行われ、用紙の幅方向（用紙の搬送方向と直交する方向）に１ライン又は１個の帯状を印字するようなノズルの駆動を主走査と定義する。
【００６７】
特に、図５に示すようなマトリクス状に配置されたノズル５１を駆動する場合は、上記（３）のような主走査が好ましい。すなわち、ノズル５１-11 、５１-12 、５１-13 、５１-14 、５１-15 、５１-16 を１つのブロックとし（他にはノズル５１-21 、…、５１-26 を１つのブロック、ノズル５１-31 、…、５１-36 を１つのブロック、…として）、記録紙１６の搬送速度に応じてノズル５１-11 、５１-12 、…、５１-16 を順次駆動することで記録紙１６の幅方向に１ラインを印字する。
【００６８】
一方、上述したフルラインヘッドと用紙とを相対移動することによって、上述した主走査で形成された１ライン又は１個の帯状の印字を繰り返し行うことを副走査と定義する。
【００６９】
印字ヘッド１２のノズル５１は、ある時間以上吐出しない状態が続くと、ノズル近傍のインク溶媒が蒸発してノズル近傍のインクの粘度が高くなってしまい、アクチュエータ５８が動作してもインクがノズル５１から吐出できなくなってしまう。したがって、この様な状態になる手前（アクチュエータ５８で吐出が可能な粘度の範囲内）で、インク受けに向かってアクチュエータ５８を動作させ、粘度が上昇したノズル近傍のインクを吐出させる「予備吐出」が行われる。また、ノズル面１３の清掃手段として設けられているブレード等による払拭動作（ワイピング）によってノズル表面の汚れを清掃した後に、このブレードの摺擦動作によってノズル内に異物が混入するのを防止するためにも予備吐出が行われる。なお、予備吐出は、「空吐出」、「パージ」、「唾吐き」などと呼ばれる場合もある。
【００７０】
また、ノズル５１内のインクの粘度上昇があるレベルを超えると、上記予備吐出ではインクを吐出できなくなるため、以下に述べる吸引動作を行う。
【００７１】
すなわち、ノズル５１内のインク粘度があるレベル以上に上昇すると、アクチュエータ５８を動作させてもノズル５１からインクを吐出できなくなる。また、ノズル５１内及び圧力室５２のインク内に気泡が混入すると、アクチュエータ５８が動作してもノズル５１からインクが吐出できなくなる。このような場合、印字ヘッド１２のノズル面に吸引手段を当接させて圧力室５２内のインクをポンプ等で吸い込み、気泡が混入したインク又は増粘インクを吸引除去する動作が行われる。
【００７２】
ただし、上記の吸引動作は、圧力室５２内のインク全体に対して行われるためインク消費量が大きい。したがって、粘度上昇が少ない場合はなるべく予備吐出を行うことが好ましい。
【００７３】
本発明の実施に際してノズルの配置構造は図示の例に限定されない。また、本実施形態では、ピエゾ素子（圧電素子）に代表されるアクチュエータ５８の変形によってインク滴を飛ばす方式が採用されているが、本発明の実施に際して、インクを吐出させる方式は特に限定されず、ピエゾジェット方式に代えて、ヒータなどの発熱体によってインクを加熱して気泡を発生させ、その圧力でインク滴を飛ばすサーマルジェット方式など、各種方式を適用できる。
【００７４】
〔支持部の構造〕
図６は図１で説明した支持部２２の構造を示す斜視図、図７は図６中の７−７線に沿う断面図である。図６に示したように、支持部２２の上面に配設されたプラテン３６の全面には多数のインク捕集孔６０が形成されている。インク捕集孔６０を含むプラテン３６の表面はインクをはじく撥液性を有している。ここでいう「撥液性」は、インク滴の接触角が９０度よりも大きくなる表面状態をいい、より好ましくは１２０度以上となる表面状態とする。なお、プラテン３６に撥液性を持たせるには、プラテン３６を撥液性の素材で作製する態様、若しくはプラテン３６表面に撥液処理を施す態様がある。撥液処理は、インクをはじく作用をもたらす表面処理であり、この処理によって対象領域に撥液層（撥インク層）６５が形成される。例えば、フッ素系化合物をスプレーコーティングなどによって塗布するなどの手法が用いられる。
【００７５】
インク捕集孔６０は、図７に示したように、プラテン３６の厚み方向に貫通しており、液が凝集しやすいように、印字ヘッド１２のノズル面１３と対向する吐出側の開口６１（記録紙１６の支持面側の間口）が広く、プラテン３６の裏面側（回収側）の開口６２は吐出側の開口６１よりも狭い開口となっている。吐出側の開口６１の縁から回収側（下側）の開口の縁までの間はインク滴が滑落する傾斜面（スロープ）６３となっているため、傾斜面６３上に落ちたインク滴は撥液性を有する該傾斜面６３を滑落して下側の開口６２へと移動する。なお、図７では平面を傾斜させた直線的な傾斜面６３を示したが、本発明の実施に際して傾斜面６３は曲面で構成されていてもよい。
【００７６】
また、インク捕集孔６０は、記録紙１６を吸着させる吸引孔としての機能を兼ねており、図６に示した吸引ポンプ３９の負圧によって記録紙１６はプラテン３６上に吸着される。このとき、記録紙１６は、プラテン３６上におけるインク捕集孔６０の周囲の稜６４で接触支持される。
【００７７】
本例ではインク捕集孔６０の周囲の稜線で区画される形状を六角形としたが、本発明の実施に際してはこの例に限定されず、任意の形状（多角形、円形、楕円形など）が可能である。また、複数のインク捕集孔６０を平面配列（二次元的に配列）させる形態は、図示したハニカム状配列に限定されず、行方向と列方向とが直交する正方のマトリックス配列、行方向と列方向とが直交しない千鳥状配列なども可能である。
【００７８】
このとき、図６に示したように、インク捕集孔６０が用紙送り方向に直角な稜線を持たない形状とする態様が好ましい。すなわち、図６に示した六角形状を有するインク捕集孔６０の場合、六角形の全ての辺が用紙送り方向と直交しないようにインク捕集孔６０を配置する。これにより、記録紙１６の支持性及び搬送性を向上させることができる。
【００７９】
また、印字ヘッド１２のノズル配列パターンと、これに対向するインク捕集孔６０の配列パターンを一致させ、ノズル５１の位置とインク捕集孔６０の位置とを対応させた配置関係とする態様が更に好ましい。かかる形態により、確実にインクを捕集孔に集めることができる。
【００８０】
液受け部３８の内部は、印字ヘッド１２の長手方向に沿って複数の領域に分割（図６で
は三分割）されており、各区画領域３８Ａ、３８Ｂ、３８Ｃは吸引チャンバとして機能する。各区画領域３８Ａ〜３８Ｃにはそれぞれ個別に吸引ポンプ３９が接続されている。各吸引ポンプ３９を独立に制御することで液受け部３８の所望の区画領域３８Ａ〜３８Ｃを選択的に吸引することが可能である。もちろん、全ての区画領域３８Ａ〜３８Ｃを同時に吸引することも可能である。
【００８１】
かかる構成により、比較的小型の（容量の小さい）吸引ポンプ３９を用いて装置を実現することが可能である。また、使用する記録紙１６のサイズ等に応じて不要な吸引エリアに対応する吸引ポンプ３９の駆動を停止させることができる。
【００８２】
本発明の実施形態によれば、印字ヘッド１２から吐出されたインクのうち、画像記録に使用されないインク（記録紙１６の外側領域に吐出され、プラテン３６上に落ちたインクミスト）は、吸引ポンプ３９の負圧作用によってプラテン３６のインク捕集孔６０を介して液受け部３８内に入り、吸引ポンプ３９を介して回収タンク４０に送られる。
【００８３】
したがって、例えば、縁無しプリント時の縁部のインクミスト（記録紙１６の外側領域に吐出されたインク）や、ノズル５１のメニスカス（インクと外気との界面）乾燥防止等のために実施される予備吐出のインクミスト（パージミスト）の回収が可能である。
【００８４】
また、本実施形態によれば、インクミストの回収手段に利用される負圧発生手段（吸引ポンプ３９）は、記録紙１６の吸着に必要な負圧を発生させる手段を兼ねているので、装置の機構を簡略化でき、小型化及び低コスト化を実現できる。
【００８５】
本実施形態における支持部２２は、不図示の昇降機構に支持されており、印字ヘッド１２のインク吐出方向（ノズル面１３の法線方向）に移動可能となっている。すなわち、支持部２２は、印字ヘッド１２のノズル面１３に対して上下動させることができ、必要に応じて「通常位置」、「クリーニング位置」、「キャッピング位置」の各位置で停止させることができる。「通常位置」は、ノズル面１３と記録紙１６とのクリアランスを印字に適した所定の距離に保つようなプラテン位置を実現する。「クリーニング位置」は、後述するクリーニング動作時に設定される位置であり、通常位置よりも下方に設定されている。「キャッピング位置」は、後述するキャッピング動作（吸引動作を含む）時に設定される位置であり、通常位置よりも上方に設定されている。
【００８６】
また、本例のインクジェット記録装置１０は、印字ヘッド１２のノズル面１３とプラテン３６の上面（記録紙１６の支持面をいい、以下「プラテン面３７」という。）とを同時に清掃するブレード７０と、該ブレード７０を印字ヘッド１２の長手方向（記録紙１６の搬送方向と直交する方向）に沿って移動させるブレード走行機構８０を備えている。ブレード７０は、ノズル面１３を摺擦する第１ブレード７１とプラテン面３７を摺擦するための第２ブレード７２とがヘッド長手方向に所定距離だけ離れてヘッド短手方向と平行に上下に組み合わされた構造を有し、第１ブレード７１及び第２ブレード７２はともに印字ヘッド１２の短手方向の幅と略同等のブレード幅を有している。なお、ブレード幅は、印字ヘッド１２の短手方向についてのノズル配列範囲以上であることが好ましく、最大で印字ヘッド１２の短手方向の幅と同等であれば足りる。
【００８７】
また、第１ブレード７１と第２ブレード７２を連結している連結部７４はインク吐出方向に貫通するインク通過孔７５を有している。
【００８８】
本例のブレード走行機構８０は、ボールネジ８１と、これに螺合されたスライダ８２とを有して構成される。ボールネジ８１は、その軸方向が印字ヘッド１２の長手方向に沿うように配置されており、カップリング８４を介してモータ８６の回転軸と連結されている
。なお、ボールネジ８１の他の一端は不図示の軸受によって支持されている。
【００８９】
ブレード７０はアーム８８に取り付けられており、該アーム８８の基端部はスライダ８２に固定されている。モータ８６によってボールネジ８１を回転させると、スライダ８２がボールネジ８１上を移動し、これに伴ってブレード７０が印字ヘッド１２とプラテン３６の間を走行する。
【００９０】
なお、ブレード走行機構８０は、図示したボールネジ・ナット方式によるものに限定されず、ベルト駆動方式やリニアモータ方式など、他の方式による直進駆動機構を採用してもよい。
【００９１】
図８はクリーニング動作時の様子を示した要部側面図である。同図は印字ヘッド１２の下流側から上流に向かって印字ヘッド１２を見たときの図であり、図８上において紙面垂直方向に奥から手前に向かう方向が記録紙１６（図８中不図示）の搬送方向であり、紙面左右方向が印字ヘッド１２の長手方向を表している。
【００９２】
図示のように、クリーニング時には、支持部２２がクリーニング位置に移動され、印字ヘッド１２と支持部２２の間にブレード７０が挿入される。第１ブレード７１及び第２ブレード７２は、それぞれノズル面１３及びプラテン面３７を摺動しながら、図８の左から右に向かって走行する。
【００９３】
このブレード走行中に該ブレード７０の位置に対応して、印字ヘッド１２のノズル５１からインクを吐出させる予備吐出が行われる。この予備吐出は、ブレード７０のインク通過孔７５の開口範囲に入るノズル５１について順次実行される。
【００９４】
すなわち、ブレード７０の走行方向について、まず、第１ブレード７１が先行してノズル面１３を払拭し、その払拭直後にノズル５１から予備吐出を行う。この予備吐出動作によって吐出されたインク７７はインク通過孔７５を通ってプラテン３６上に落ちる。プラテン３６上に落ちたインクは吸引ポンプ３９の負圧によって液受け部３８に回収され、後続の第２ブレード７２によってプラテン３６が払拭される。かかる一連の動作がブレード７０の走行に伴って印字ヘッド１２の長手方向の全範囲について実施される。したがって、一度の（一方向の）ブレード走行によって、ノズル面１３とプラテン面３７の同時クリーニングが可能である。
【００９５】
図９はクリーニング動作に関する制御系の構成図であり、図１０はその制御手順を示したフローチャートである。図９に示したように、インクジェット記録装置１０は、システム全体を制御するコントローラ（制御部）９０、ヘッドドライバ９２、ブレード駆動部９４、支持部駆動部９６、ポンプ駆動部９８を備えるとともに、図中Ａで示したクリーニング位置において支持部２２の位置を検出する第１センサ１０１、ブレード７０のホームポジションを検出する第２センサ１０２、ブレード７０の走行限界位置を検出する第３センサ１０３、図中Ｂで示した通常位置において支持部２２の位置を検出する第４センサ１０４を備えている。
【００９６】
コントローラ９０は、中央演算処理装置（ＣＰＵ）及びその周辺回路等から構成され、各部を制御する制御信号を生成する制御手段である。また、このコントローラ９０は、吐出制御用の信号（ドットデータ）を生成するための信号処理機能を有し、生成したドットデータをヘッドドライバ９２に供給する。
【００９７】
ヘッドドライバ９２は、コントローラ９０から与えられるドットデータに基づいて対応するノズル５１のアクチュエータ５８を駆動する。すなわち、ドットデータに基づきヘッ
ドドライバ９２を介して各ノズル５１のインク吐出量や吐出タイミングの制御が行われ、所望のドットサイズやドット配置が実現される。なお、ヘッドドライバ９２にはヘッドの駆動条件を一定に保つためのフィードバック制御系を含んでいてもよい。
【００９８】
ブレード駆動部９４は、ブレード７０を走行させるモータ８６とその駆動回路を含んで構成され、コントローラ９０の指令に従ってブレード７０を移動させる。支持部駆動部９６は、支持部２２を昇降動作させるモータ（不図示）とその駆動回路を含んで構成され、コントローラ９０の指令に従って支持部２２を移動させる。ポンプ駆動部９８は、支持部２２の液受け部３８に連通する吸引ポンプ３９を作動させる駆動回路を含んで構成され、コントローラ９０の指令に従って吸引ポンプ３９を作動させる。
【００９９】
第１センサ１０１は、支持部２２がクリーニング位置に到達しているか否かを検出する手段である。第２センサ１０２は、ブレード７０が印字ヘッド１２よりも外側の所定のホームポジションに到達しているか否かを検出する手段である。第３センサ１０３は、支持部２２が通常位置に到達しているか否かを検出する手段である。第４センサ１０４はブレード７０が印字ヘッド１２の長手方向の走行限界（端）に到達したか否かを検出する手段である。これら各センサ（１０１〜１０４）の検出信号はコントローラ９０に入力され、動作の制御に利用される。
【０１００】
上記構成においてクリーニング時には次のように動作する。
【０１０１】
図１０に示したように、クリーニングのシーケンスがスタートすると（ステップＳ２１０）、まず、通常位置にある支持部２２をクリーニング位置に移動させるために、支持部駆動部９６に対して下方駆動ＯＮを指令して支持部２２を下降させる（ステップＳ２１２）。次に、コントローラ９０は、第１センサ１０１からの検出信号を監視し、第１センサ１０１から検出信号が得られたか否かを判定する（ステップＳ２１４）。
【０１０２】
支持部２２がクリーニング位置に到達していなければ、ステップＳ２１４においてＮＯ判定となり、ステップＳ２１２に戻って下方駆動を継続する。
【０１０３】
支持部２２がクリーニング位置に到達すると、ステップＳ２１４においてＹＥＳ判定となる。この場合、コントローラ９０は、支持部駆動部９６に対して下方駆動ＯＦＦを指令して支持部２２を停止させる（ステップＳ２１６）。その後、吸引ポンプ３９を作動させて、支持部２２内を負圧にする（ステップＳ２１８）。
【０１０４】
次に、ブレード駆動部９４に対してブレード７０を清掃方向に走行させる正駆動ＯＮを指令してブレード７０を走行させる（ステップＳ２２０）。このブレード駆動は、モータ８６にパルスを入力することによって行われる。
【０１０５】
また、ブレード７０の駆動に同期して、モータ８６のパルスに対応したノズル５１の駆動が行われ、図８で説明した予備吐出が実施される（図１０のステップＳ２２２）。このノズル駆動は、予め用意されたデータマップに基づいて行われる。
【０１０６】
上記清掃動作実施中にコントローラ９０は、第３センサ１０３から検出信号が得られたか否かを判定する（ステップＳ２２４）。ブレード７０が走行限界に到達していなければ、ステップＳ２２４においてＮＯ判定となり、ステップＳ２２２に戻って、上記清掃動作が継続される。
【０１０７】
一方、ブレード７０が印字ヘッド１２の端の走行限界に到達すると、ステップＳ２２４においてＹＥＳ判定となる。この場合、コントローラ９０は、ブレード駆動部９４に対し
てブレード正駆動ＯＦＦを指令してブレード７０を停止させる（ステップＳ２２６）。
【０１０８】
その後、ブレード駆動部９４に対してブレード逆駆動ＯＮを指令してブレード７０を元の位置（ホームポジション）に向けて移動させる（ステップＳ２２８）。この戻し走行時（逆走行時）には、第１ブレード７１を印字ヘッド１２のノズル面１３に接触させないように、第１ブレード７１を不図示のアクチュエータ等によって昇降自在な構成とし、第１ブレード７１をノズル面１３から離間させた状態で走行させる。または、支持部下方駆動にて離間させても良い。
【０１０９】
上記戻し走行駆動中にコントローラ９０は、第２センサ１０２から検出信号が得られたか否かを判定する（ステップＳ２３０）。ブレード７０がホームポジションに到達していなければ、ステップＳ２３０においてＮＯ判定となり、ステップＳ２２８に戻って、上記ブレード７０の戻し走行が継続される。
【０１１０】
ブレード７０がホームポジションに到達すると、ステップＳ２３０においてＹＥＳ判定となる。この場合、コントローラ９０は、ブレード駆動部９４に対してブレード逆駆動ＯＦＦを指令してブレード７０を停止させるとともに（ステップＳ２３２）、吸引ポンプ３９を停止させる（ステップＳ２３４）。
【０１１１】
その後、支持部駆動部９６に対して上方駆動ＯＮを指令して支持部２２を上昇させる（ステップＳ２３６）。上方駆動開始後、コントローラ９０は、第４センサ１０４から検出信号が得られたか否かを判定する（ステップＳ２３８）。
【０１１２】
支持部２２が通常位置に到達していなければ、ステップＳ２３８においてＮＯ判定となり、ステップＳ２３６に戻って上方駆動を継続する。
【０１１３】
支持部２２が通常位置に到達すると、ステップＳ２３８においてＹＥＳ判定となる。この場合、コントローラ９０は、支持部駆動部９６に対して上方駆動ＯＦＦを指令して支持部２２を停止させ（ステップＳ２４０）、クリーニングシーケンスを終了する（ステップＳ２４２）。
【０１１４】
なお、図６乃至図１０において、ブレード７０は印字ヘッド１２の長手方向に走行する例を述べたが、本発明の実施に際しては、印字ヘッド１２の長手方向の幅に対応する長さのブレードを印字ヘッド１２の短手方向に移動させる態様も可能である。
【０１１５】
〔支持部のキャッピング機能及びインク吸引機能〕
図１１は印字ヘッド１２の短手方向の側面図である。同図に示したように、印字ヘッド１２のノズル面１３の縁全周にはブラシ状の弾性部材１３２が設けられている。支持部２２をノズル面１３に近づけるように上昇させ、所定のキャッピング位置で停止させることにより、図１２に示したように、弾性部材１３２がプラテン３６に密着して密閉空間１３４が形成される。こうして、印字ヘッド１２のノズル面１３全体（少なくともノズル５１が形成されている範囲の全体）が密閉される。前述のクリーニング動作時には不図示のアクチュエータ等によって昇降自在な第１ブレード７１にて弾性部材を回避してクリーニング動作を行う。
【０１１６】
電源ＯＦＦ時やプリント待機時において、図１２のように支持部２２によりノズル面１３を覆うことにより、ノズル５１の乾燥防止及びノズル近傍のインク粘度上昇の防止等が図られる。すなわち、支持部２２は、弾性部材１３２とともに印字ヘッド１２の保存用キャップとして機能する。
【０１１７】
また、図１２に示した状態で吸引ポンプ３９を駆動することにより、ノズル５１からのインク吸引が可能である。すなわち、支持部２２はノズル吸引動作時におけるインク吸引手段として機能する。
【０１１８】
このとき、ノズル５１の使用頻度等に応じて吸引ポンプ３９を選択的に制御（液受け部３８Ａ、３８Ｂ、３８Ｃを選択）することにより、吸引範囲を制御することができる。これにより、無駄なインク吸引を回避することができ、インク消費量を抑制できる。
【０１１９】
〔インク捕集手段の形状例〕
図１３は、図６で説明したインク捕集孔６０の拡大図である。図６で説明した実施形態では、インク捕集手段の一例として、図１３に示したように、周囲の稜線が六角形を画成するインク捕集孔６０を説明した。このインク捕集孔６０の場合、図１３の上方から矢印に沿って落下するインク１３８は傾斜面６３を滑落して凝集され、底部の開口６２を介して吸引回収される。また、記録紙１６はインク捕集孔６０の稜６４で線接触によって支持される。
【０１２０】
本発明の実施に際してインク捕集手段の構造は、図１３の例に限定されず、例えば、図１４のような点接触による記録紙１６の支持構造も可能である。
【０１２１】
図１４に示したインク捕集手段は、記録紙１６を点接触で支持する突起１４０と、突起１４０の底部に形成された開口１４２とを有して構成される。この開口１４２はプラテン３６の裏面に連通した貫通孔となっている。
【０１２２】
なお、同図では略円錐形状の突起１４０を示したが、突起形状はこれに限定されず、角錐形状であってもよい。
【０１２３】
複数の突起１４０の先端部１４４によって点支持される記録紙１６の平面性を確保すべく、各突起１４０の高さは揃えられている。また、突起１４０の側面は開口１４２につながる傾斜面１４６を構成しており、図１４の上方から矢印に沿って落下するインク１３８は該傾斜面１４６を滑落して凝集され、開口１４２を介して吸引回収される。
【０１２４】
図１４に示した構成によっても、記録紙１６を安定保持可能であるとともに、記録紙１６の裏面汚れを防止できる。
【０１２５】
図６で説明した支持部２２のプラテン３６では、図１５（a)に示すようにインク捕集孔６０を支持部２２の長手方向と平行は配列ラインに沿って並べてマトリック状に配置したが、インク捕集孔６０の配列形態はこれに限定されない。例えば、図１５（b)に示すように、支持部２２の長手方向に対してある角度を持たせた斜めの配列ラインに沿って並べて配置する態様も可能である。
【０１２６】
上記実施形態では、記録媒体の全幅に対応する長さのノズル列を有するページワイドのフルライン型ヘッドを用いたインクジェット記録装置を説明したが、本発明の適用範囲はこれに限定されず、短尺の記録ヘッドを往復移動させながら画像記録を行うシャトルヘッドを用いるインクジェット記録装置についても本発明を適用可能である。
【０１２７】
また、上述の説明では、画像形成装置の一例としてインクジェット記録装置を例示したが、本発明の適用範囲はこれに限定されない。例えば、印画紙に非接触で現像液を塗布する写真画像形成装置についても本発明を適用できる。すなわち、インクに限らず、処理液や機能液その他の液体を媒体に塗布する液滴吐出工程が含まれる他の画像形成装置について本発明を広く適用できる。インクジェット方式以外では、光学式の写真プリント作製装
置、ラインヘッドを有する熱転写記録装置、ＬＥＤ電子写真プリンタ、ＬＥＤライン露光ヘッドを有する銀塩写真方式プリンタなど各種方式の画像形成装置について本発明を適用することが可能である。
【図面の簡単な説明】
【０１２８】
【図１】本発明の実施形態に係るインクジェット記録装置の全体構成図
【図２】印字ヘッドの構造例を示す平面透視図
【図３】印字ヘッドの他の構造例を示す平面透視図
【図４】図２中の４−４線に沿う断面図
【図５】図２に示した印字ヘッドのノズル配列を示す拡大図
【図６】印字ヘッドのノズル面に対向する位置で記録紙を支持する支持部２２の構造を示す斜視図
【図７】図６中の７−７線に沿う断面図
【図８】クリーニング動作時の様子を示す側面図
【図９】クリーニング動作に関する制御系の構成図
【図１０】クリーニング動作の制御手順を示したフローチャート
【図１１】印字ヘッドのノズル面を密閉する手段の例を示した概略側面図
【図１２】印字ヘッドのノズル面を密閉する手段の例を示した概略側面図
【図１３】インク捕集手段の形状例を示す斜視図
【図１４】インク捕集手段の他の形状例を示す斜視図
【図１５】インク捕集孔の配列例を示す平面図
【符号の説明】
【０１２９】
１０…インクジェット記録装置、１２…印字ヘッド、１２’…ヘッドユニット、１３…ノズル面、１４…インク貯蔵／装填部、１６…記録紙、２２…支持部、３６…プラテン、３７…プラテン面、３９…吸引ポンプ、６０…インク捕集孔、６１…開口、６２…開口、６３…傾斜面、６４…稜、６５…撥液層、７０…ブレード、７１…第１ブレード、７２…第２ブレード、７７…インク、８０…ブレード走行機構、８１…ボールネジ、８２…スライダ、８６…モータ、９０…コントローラ、９４…ブレード駆動部、９６…支持部駆動部、１３２…弾性部材、１３８…インク、１４０…突起、１４２…開口、１４６…傾斜面
【図１】
2006175882.tif 000003
【図２】
2006175882.tif 000004
【図３】
2006175882.tif 000005
【図４】
2006175882.tif 000006
【図５】
2006175882.tif 000007
【図６】
2006175882.tif 000008
【図７】
2006175882.tif 000009
【図８】
2006175882.tif 000010
【図９】
2006175882.tif 000011
【図１０】
2006175882.tif 000012
【図１１】
2006175882.tif 000013
【図１２】
2006175882.tif 000014
【図１３】
2006175882.tif 000015
【図１４】
2006175882.tif 000016
【図１５】
2006175882.tif 000017